(57)【要約】【課題】防火または遮煙を確実に行うことができる防火シャッタースクリーンを提供することである。【解決手段】防火シャッタースクリーン１００ａにおいては、懸吊時の最下端部に略三角形状３００ａの辺３２０が設けられている。辺３２０の内部には、鋼板４００が接着層６００により貼着されている。【選択図】図３
2009112583.tif 000002
【特許請求の範囲】
【請求項１】
防火または遮煙のために懸吊して使用される防火シャッタースクリーンであって、
前記防火シャッタースクリーンの最下端部に、当該防火シャッタースクリーンの厚みよりも大きい面接触部が設けられたことを特徴とする防火シャッタースクリーン。
【請求項２】
前記面接触部は、
前記防火シャッタースクリーンの厚み方向から視野した場合に略三角形状となる部材からなることを特徴とする請求項１記載の防火シャッタースクリーン。
【請求項３】
前記面接触部は、
前記防火シャッタースクリーンの厚み方向から視野した場合に略三角形状となるよう縫製されて形成されたことを特徴とする請求項１記載の防火シャッタースクリーン。
【請求項４】
前記面接触部は、
前記略三角形状の内部に錘部材がさらに配設されたことを特徴とする請求項２または請求項３記載の防火シャッタースクリーン。
【請求項５】
前記錘部材は、
前記略三角形状の底辺内部に接着されたことを特徴とする請求項４記載の防火シャッタースクリーン。
【発明の詳細な説明】
【技術分野】
【０００１】
本発明は、耐火または遮煙のために使用する防火シャッタースクリーンに関する。
【背景技術】
【０００２】
近年、防火シャッタースクリーンは、鋼製シャッターにかえて、防火シャッター全体を軽量化することができ、さらに広い間口のとれるクロス製シャッターが使用されている。このものは、火災等の発生時にクロス製のスクリーンが巻き取り軸より降下し、防火区画を形成する。また、形成された防火区画外に避難するため、スクリーンに避難口を具備したものが使用される場合がある。
【０００３】
従来の避難口を具備した防火シャッタースクリーンは、前もって避難口表示をクロスに印刷し、スクリーン縫製時にその部分を縫製や磁性体で取り付けたものや、縫製後のスクリーンに直接避難口表示を印刷したものがある。
【０００４】
また、特許文献１には、いわゆる目ずれを防止でき、かつ、法定の防火性能（特に衝撃試験）及び遮煙性能を満足できるという効果を奏する耐火スクリーンについて開示されている。
【０００５】
特許文献１記載の耐火スクリーンにおいては、シリカ繊維を主体とするヤーンで製織した不燃性織布に、シリコン樹脂の使用を回避し且つ難燃性の臭素化合物、アンチモン化合物、水酸化アルミニウム、水酸化マグネシウム及び炭酸カルシウムの群から選ばれる一又は二以上を主体とする目ずれ防止剤を被覆又は含浸して形成したものであり、懸吊時にきれいな長方形状で垂れる耐火スクリーンを得ることができる。
【０００６】
【特許文献１】特許第３３４０９６６号公報
【発明の開示】
【発明が解決しようとする課題】
【０００７】
しかしながら、一般の耐火シートは、特許文献１に記載されたように、ヤーン同志が滑って面延長方向に変形し易い。その結果、長方形に懸吊されず、平行四辺形状に変形（いわゆる目ずれ）して懸吊され、耐火スクリーンの側方および下方に隙間ができる場合がある。
【０００８】
また、特許文献１記載の耐火スクリーンにおいて広い面積を均一に処理させるのは困難であり、均一に処理できない場合、当然に耐火スクリーンの下方にも隙間が生じ、防火または遮煙を確実に行えない状態が起こり得るという問題があった。
【０００９】
本発明の目的は、防火または遮煙を確実に行うことができる防火シャッタースクリーンを提供することである。
【課題を解決するための手段】
【００１０】
本発明に係る防火シャッタースクリーンは、防火または遮煙のために懸吊して使用される防火シャッタースクリーンであって、防火シャッタースクリーンの最下端部に、当該防火シャッタースクリーンの厚みよりも大きい面接触部が設けられたものである。
【００１１】
本発明に係る防火シャッタースクリーンにおいては、懸吊時の最下端部に面接触部が設けられている。
【００１２】
この場合、防火シャッタースクリーンの使用時に、面接触部が地面との隙間をなくす働きをするので、単に防火シャッタースクリーンを使用する場合と比較して、防火および遮煙を確実にすることができる。
【００１３】
面接触部は、防火シャッタースクリーンの厚み方向から視野した場合に略三角形状となる部材からなってもよい。
【００１４】
この場合、防火シャッタースクリーンの使用時に略三角形状の部材の底部が地面との間隙をなくす働きをするので、単に防火シャッタースクリーンを使用する場合と比較して、防火および遮煙を確実にすることができる。
【００１５】
面接触部は、防火シャッタースクリーンの厚み方向から視野した場合に略三角形状となるよう縫製されて形成されてもよい。
【００１６】
この場合、防火シャッタースクリーンの使用時に略三角形状となるよう縫製されて、略三角形状の底辺が地面との間隙をなくす働きをするので、単に防火シャッタースクリーンを使用する場合と比較して、防火および遮煙を確実にすることができる。
【００１７】
面接触部は、略三角形状の内部に錘部材がさらに配設されてもよい。
【００１８】
この場合、略三角形状の内部に錘部材が配設されるので、防火シャッタースクリーンの使用時に略三角形状の底面が地面との間隙を確実になくす働きをするので、単に防火シャッタースクリーンを使用する場合と比較して、防火および遮煙をさらに確実にすることができる。
【００１９】
錘部材は、略三角形状の底辺内部に接着されてもよい。
【００２０】
この場合、略三角形状の底辺内部に錘部材が接着されているので、防火シャッタースクリーンの使用時に略三角形状の底面が地面との間隙を安定して確実になくす働きをするので、単に防火シャッタースクリーンを使用する場合と比較して、防火および遮煙をさらに確実にすることができる。
【発明を実施するための最良の形態】
【００２１】
以下、本発明に係る実施の形態について説明する。
【００２２】
図１は、本発明に係る一実施の形態に係る防火シャッタースクリーンの一例を示す模式図であり、図２は図１の防火シャッタースクリーンの模式的側面図である。
【００２３】
図１に示すように防火シャッタースクリーン１００は、長方形の耐火シート２００から形成される。図２に示すように、耐火シート２００の最下端近傍には、耐火シート２００を折り曲げて、略三角形状３００が形成される。また、耐火シート２００の端部は、縫製部５００において耐火シート２００に接合される。
【００２４】
なお、本実施の形態に係る耐火シート２００は、シリカクロス（シリカ繊維ヤーンで製織された織布）により構成される。
【００２５】
略三角形状３００は、耐火シート２００の一部の部材により形成される。以下、説明のために、略三角形状を構成する各耐火シートを辺３１０、辺３２０、辺３３０と略記する。
【００２６】
図２に示すように、略三角形状３００は、各辺が長さＬの略正三角形からなる。長さＬは、３００ｍｍ以上４５０ｍｍ以下であることが好ましく、３５０ｍｍ以上４００ｍｍ以下であることがより好ましい。この長さＬは、辺３２０の長さを規定しており、防火または遮煙効果を十分に発揮させるために必要な長さである。
【００２７】
なお、本実施の形態においては、略三角形状３００が略正三角形からなることとしたが、これに限定されず、長さＬの辺３２０を基準として、略二等辺三角形または他の任意の略三角形状で構成してもよい。
【００２８】
以上のように、防火シャッタースクリーン１００の使用時に略三角形状３００の辺３２０が地面との間隙をなくす働きをするので、単に防火シャッタースクリーンを使用する場合と比較して、防火および遮煙を確実にすることができる。
【００２９】
次に、図３は、図２に示した防火シャッタースクリーンの他の例を示す模式的側面図である。以下、図１および図２の一実施の形態と異なる点について説明する。
【００３０】
図３に示す防火シャッタースクリーン１００ａは、図２に示す防火シャッタースクリーン１００にさらに鋼板４００および接着層６００を含む。
【００３１】
図３に示すように、防火シャッタースクリーン１００ａは、耐火シート２００の下端部に形成された略三角形状３００ａの辺３２０の裏面（三角形状内部）に、接着層６００が接着され、さらに鋼板４００が取り付けられる。
【００３２】
それにより、防火シャッタースクリーン１００ａを懸吊させた場合、防火シャッタースクリーン１００ａの下部に隙間が生じないので、防火または遮煙を確実に行うことができる。また、鋼板４００の重量は、人の力で容易に持ち上げることが可能な重さで形成される。そのため、逃げ遅れた場合でも、防火シャッタースクリーン１００ａの略三角形状３００ａを持ち上げる、または略三角形状３００ａの部分を床面に沿って押出すことにより、避難することが可能である。
【００３３】
以上のように、略三角形状３００ａの内部に鋼板４００が配設されるので、防火シャッタースクリーン１００ａの使用時に略三角形状３００ａの辺３２０が地面との間隙を確実になくす働きをするので、単に防火シャッタースクリーンを使用する場合と比較して、防火および遮煙をさらに確実にすることができる。
【００３４】
次いで、図４は、図２および図３に示した防火シャッタースクリーンのさらに他の例を示す模式的側面図である。以下、図１から図３における一実施の形態および他の例と異なる点について説明する。
【００３５】
図４に示す防火シャッタースクリーン１００ｂは、図３に示す防火シャッタースクリーン１００ａの鋼板４００の代わりに、丸鋼棒４１０，４２０を含む。
【００３６】
図４に示すように、防火シャッタースクリーン１００ｂは、耐火シート２００の下端部に形成された略三角形状３００ｂの辺３１０および辺３２０の間の角に丸鋼棒４１０を固定し、辺３２０および辺３３０の間の角に丸鋼棒４２０を固定する。
【００３７】
それにより、防火シャッタースクリーン１００ｂを懸吊させた場合、防火シャッタースクリーン１００ｂの下部に隙間が生じないので、防火または遮煙を確実に行うことができる。また、丸鋼棒４１０，４２０の重量は、人の力で容易に持ち上げることが可能な重さで形成される。そのため、逃げ遅れた場合でも、防火シャッタースクリーン１００ａの略三角形状３００ｂを持ち上げる、または略三角形状３００ｂの部分を床面に沿って押出すことにより、避難することが可能である。
【００３８】
以上のように、略三角形状３００ｂの略三角形状３００ｂの辺３１０および辺３２０の間の角に丸鋼棒４１０を固定し、辺３２０および辺３３０の間の角に丸鋼棒４２０を固定されているので、防火シャッタースクリーン１００ｂの使用時に略三角形状の底面が地面との間隙を安定して確実になくす働きをするので、単に防火シャッタースクリーンを使用する場合と比較して、防火および遮煙をさらに確実にすることができる。
【００３９】
上記一実施の形態においては、防火シャッタースクリーン１００，１００ａ，１００ｂおよび耐火シート２００が防火シャッタースクリーンに相当し、略三角形状３００，３００ａ，３００ｂが略三角形状となる部材に相当し、辺３２０が面接触部に相当し、鋼板４００および丸鋼棒４１０，４２０が錘部材に相当し、縫製部５００が略三角形状となる縫製に相当し、接着層６００が略三角形状の底部の接着に相当する。
【００４０】
本発明は、上記の好ましい一実施の形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００４１】
【図１】本発明に係る一実施の形態に係る防火シャッタースクリーンの一例を示す模式図
【図２】図１の防火シャッタースクリーンの模式的側面図
【図３】図２に示した防火シャッタースクリーンの他の例を示す模式的側面図
【図４】図２および図３に示した防火シャッタースクリーンのさらに他の例を示す模式的側面図
【符号の説明】
【００４２】
１００，１００ａ，１００ｂ  防火シャッタースクリーン
２００  耐火シート
３００，３００ａ，３００ｂ  略三角形状
３１０，３２０，３３０  辺
４００  鋼板
４２０  丸鋼棒
５００  縫製部
６００  接着層
【図１】
2009112583.tif 000003
【図２】
2009112583.tif 000004
【図３】
2009112583.tif 000005
【図４】
2009112583.tif 000006